(57)【要約】【課題】  本発明は、処方箋の薬剤や市販の薬剤の服用履歴情報、服用効果度や薬剤の効能、副作用の記録情報および回避記録、薬剤服用者の年間又は季節を通しての病名等に関する統計情報により、健康維持の促進に役立つ電子お薬手帳による健康管理システムを提供する。【解決手段】  本発明は、複数の医療機関及び薬局の端末装置と、患者側の携帯端末を含む端末装置と、情報を管理する管理サーバーとの間で、処方箋の薬剤や市販の薬剤の服用履歴及び服用効果度、副作用の記録情報及び回避記録に関する統計的な情報を管理する管理サーバーを利用した電子お薬手帳による健康管理システムであり、医療機関の処方箋に基づく薬剤の購入や、市販の薬剤を服用した際の服用者自身の病気に対する薬効を選択する薬の効果度選択欄および薬の副作用の度合いを示す選択欄を携帯端末を含む端末装置の画面表示欄に備える電子お薬手帳による健康管理システムである。【選択図】  図１
2014123279.tif 000002
【特許請求の範囲】
【請求項１】
複数の医療機関の端末装置及び薬局の端末装置と、患者側の携帯端末を含む端末装置と、情報を管理する管理サーバーとの間でネットワークを介して処方箋の薬剤や市販の薬剤の服用履歴及び服用効果度と副作用の記録情報及び副作用の回避記録に関する統計的な情報を管理する管理サーバーとにより電子お薬手帳による健康管理システムであって、医療機関の処方箋に基づく薬局から購入する薬剤や市販の薬剤を服用した際の服用者自身が罹患している病気に対する薬効を選択する薬の効果度選択欄および該薬の服用に対する副作用の度合いを示す選択欄が携帯端末を含む端末装置の画面表示欄に備えることを特徴とした電子お薬手帳による健康管理システム。
【請求項２】
前記管理サーバーの服用情報データベースに薬剤の服用情報が、病名別、服用薬別、四季別、月別、年齢別に分類した情報毎に、効果度及び副作用の度合いによって順位付けされた統計情報が格納され、前記端末装置には前記各情報の閲覧表示部を備えていることを特徴とする請求項１記載の電子お薬手帳による健康管理システム。
【請求項３】
前記端末装置には病名及び又は服用薬剤の服用情報が病名別、服用薬別、四季別、月別、年齢別に表示される画面表示部を備えていることを特徴とする請求項１または請求項２記載の電子お薬手帳による健康管理システム。
【請求項４】
医用分野における病院で発行された処方箋と、処方された薬剤の服用履歴を管理する管理サーバーを介して、患者本人または医師や家族など本人の同意を得た関係者の端末を介して、薬の服用結果情報の確認手段又は薬の服用を促す警告手段を備えることを特徴とする請求項１、請求項２または請求項３記載の電子お薬手帳による健康管理システム。
【発明の詳細な説明】
【技術分野】
【０００１】
本発明は、医用分野における病院等で発行された処方箋の薬剤や市販の薬剤の服用履歴及び服用効果度と副作用の記録情報及び薬剤服用者の年間又は季節を通しての病名と薬剤の効能関係並びに副作用の履歴情報等の統計情報により健康維持の促進に役立つ電子お薬手帳による健康管理システムに関する。
【背景技術】
【０００２】
お薬手帳は、一般的に何らかの疾病を罹患し医療機関において発行された処方箋と一緒に、調剤薬局でお薬手帳を提出すると、調剤された薬が一覧となって書き込まれる。多くの場合はラベルシールの形態でお薬手帳に貼り付けられる。このお薬手帳の目的として、（１）相互作用の防止：複数の医療機関にかかっている場合や複数の薬を処方されている場合に、お薬手帳を参照することで、新たに調剤された薬との悪い飲み合せ（相互作用）が無いかを調べることができる。（２）重複投与の防止：お薬手帳を参照することで、別名同成分の薬も含めて重複投与されることを防ぐことができる。（３）薬品アレルギー・副作用の防止：意識や記憶がはっきりしない時などにも、お薬手帳を持参していれば、その内容から、アレルギー歴のある薬品や副作用が出たことがある薬が投与されるリスクを回避することができる。（４）病歴・病状の推移：過去から現在までに処方・調剤された薬がまとめて分かるので、お薬手帳の内容から、過去から現在までに処方された薬から病状のおおまかな推測ができる。
【０００３】
一方、医療機関から出された処方箋には、公費負担者番号、保険者番号、患者氏名、生年月日、男・女、保険医療機関の所在地及び名称等が記載されている。また、お薬手帳にも、患者の氏名、生年月日、住所、電話番号、緊急時の連絡先、血液型、主な既往症、薬剤師からの説明内容等の記載欄が設けられている。
【０００４】
しかしながら、現状のお薬手帳には処方された薬の効用や副作用は記載されず、お薬手帳とは別の紙に印刷されて渡される。また、お薬手帳には処方薬の名称が列挙されているだけで、処方の要因となった病名はお薬手帳に記載されない。したがって、患者個人にとって有効活用できるメリットはない。
【０００５】
さらに、病院で発行された処方箋と、処方箋とは異なる薬を薬局などで処方された場合、病院で発行された処方箋の情報までお薬手帳に残らない。
通常、患者はお薬手帳を持ち歩かないため、通院時に持ち合わせていない時には服用履歴の参照ができない。そのため、過去に処方された薬に対する副作用の情報を医師や薬剤師に対して提示して説明することができない。お薬手帳の保管場所を忘れてしまった場合や、紛失した場合にも、お薬手帳の履歴が残らない。
また、お薬手帳のページ数には制限があり、処方履歴が増えればお薬手帳を増刷しなければならず、一冊のお薬手帳では管理することはできない。
【０００６】
現状のお薬手帳では、薬の残量を管理することはできない。残量を管理することで処方の重複を防ぐ効果があり、また残量によって警告を発することで通院予定を忘れずに立てることができるが、現状のお薬手帳では達成されていない。
【０００７】
現状のお薬手帳では、服用した薬に対する副作用の有無や服用効果に対する薬の服用者の感想を取りまとめることが困難である。よって、過去の服用履歴から一番本人にあった薬を処方することは難しい。
【先行技術文献】
【特許文献】
【０００８】
【特許文献１】特開２０１０−１５８４７８
【特許文献２】特開２００４−２１３４１６
【発明の概要】
【発明が解決しようとする課題】
【０００９】
特許文献１の発明は、薬袋などに二次元コードを印刷する技術を用いて、単にサーバーから患者へと一方的に情報を送信・表示するだけでなく、患者と調剤薬局（薬剤師）或いは患者と病院（医者）とが服薬に関して必要な情報を相互に利用することが可能な携帯端末を用いた服薬管理システムを提供している。
しかしながら、処方ごとに二次元コードの印刷が必要で、手間がかかり、携帯端末に二次元コードの読み取りソフトウェアがないと有効活用できず、薬袋などに印刷された二次元コードに汚れがあると二次元コードの読み込みに失敗する場合がある。また、薬局ごとのサーバーに服用情報を管理するため、異なる薬局を利用した場合には服用情報をまとめて管理することができない。
【００１０】
特許文献２の発明は、薬の服用者に服用の忘れや服用タイミングの遅れ、用法及び容量の誤り等の発生を防止することを目的としたものである。しかし、この特許文献２の発明は、処方箋の薬剤や市販の薬剤の服用履歴及び服用効果度と副作用の記録情報及び副作用の回避記録の入出力情報により健康維持の促進に役立つ電子お薬手帳による健康管理システムを目的としたものではない。
【００１１】
本発明は、上記従来技術に鑑み、処方箋の薬剤や市販の薬剤の服用履歴情報及び服用効果度と副作用の記録情報及び薬剤服用者の年間又は季節を通しての病名と薬剤の効能関係並びに副作用の履歴情報、副作用の回避記録に関する統計的な情報等の統計情報により健康維持の促進に役立つ電子お薬手帳による健康管理システムを提供することを目的とする。
【課題を解決するための手段】
【００１２】
本発明は、複数の医療機関の端末装置及び薬局の端末装置と、患者側の携帯端末を含む端末装置と、情報を管理する管理サーバーとの間でネットワークを介して処方箋の薬剤や市販の薬剤の服用履歴及び服用効果度と副作用の記録情報及び副作用の回避記録に関する統計的な情報を管理する管理サーバーとにより電子お薬手帳による健康管理システムであって、医療機関の処方箋に基づく薬局から購入する薬剤や市販の薬剤を服用した際の服用者自身が罹患している病気に対する薬効を選択する薬の効果度選択欄および該薬の服用に対する副作用の度合いを示す選択欄が携帯端末を含む端末装置の画面表示欄に備えることを特徴とした電子お薬手帳による健康管理システムである。
【００１３】
前記管理サーバーの服用情報データベースに薬剤の服用情報が、病名別、服用薬別、四季別、月別、年齢別に分類した情報毎に、効果度及び副作用の度合いによって順位付けされた統計情報が格納され、前記端末装置には前記各情報の閲覧表示部を備えていることを特徴とする請求項１記載の電子お薬手帳による健康管理システムである。
【００１４】
前記端末装置には病名及び又は服用薬剤の服用情報が病名別、服用薬別、四季別、月別、年齢別に表示される画面表示部を備えていることを特徴とする請求項１または請求項２記載の電子お薬手帳による健康管理システムである。
【００１５】
医用分野における病院で発行された処方箋と、処方された薬剤の服用履歴を管理する管理サーバーを介して、患者本人または医師や家族など本人の同意を得た関係者の端末を介して、薬の服用結果情報の確認手段又は薬の服用を促す警告手段を備えることを特徴とする請求項１、請求項２または請求項３記載の電子お薬手帳による健康管理システムである。
【発明の効果】
【００１６】
本発明は、医用分野における病院で発行された処方箋と、処方された薬剤、成分や効用や効能、要因となった病名や通院した病院名などのキーワードを関連付け、それら薬の服用履歴を一括管理し、患者本人と、医師や家族など本人の同意を得た関係者とが服用情報を共有することができる。
【００１７】
服用を促す警告を出すことにより服用忘れを防止でき、服用結果に基づく薬の効果度選択欄の選択により、服用の都度毎に薬の効果に対するランク付けができるとともに副作用の度合いを示す選択欄の選択により薬の服用の都度毎に副作用の程度を示すランク付けができる。また、服用薬の残量に基づいた通院の警告を発することもできる。
【００１８】
請求項１記載の発明には、管理サーバーのデータベースに薬剤の服用情報が、病名別、服用薬別、四季別、月別、年齢別に分類した情報毎に、効果度及び副作用の度合いによって順位を付けされた情報が格納されているので、春夏秋冬毎に患者本人がどの病気にかかり易いかを事前予測ができ、季節ごとに病気に対する健康管理対策をとることができる。また、季節ごとではなく、更に短い月単位で病気の傾向を把握でき、事前予防の対策をとることができる。すなわち、年齢別では、幼児期、少年期、中学生・高校生時期、２０代、３０代、…６０代、７０代、８０代等の各世代時期に応じた病気の傾向と対策を講じることができる。両親や祖父母、親戚の服用データを参考にすることで遺伝子により発症または影響を及ぼす病気の把握と対策を取ることが可能となる。
【００１９】
管理サーバーに保管された薬剤の服用情報は、薬を服用している患者本人及び又は患者から同意を得た関係者はいつでもどこでもインターネット上で参照することができる。さらに薬剤服用者又は関係者は携帯端末を含む端末装置内にも必要な分だけ情報を取得することが可能であるため、取得済の服用情報であればインターネットに接続できない環境においても参照が可能である。
【００２０】
関連付けたキーワードにより服用情報の検索が容易にでき、医師や薬剤師に対して過去に処方された薬に対する副作用の情報を素早く提供することができる。
【００２１】
服用情報を、病名別、服用薬別、四季別、月別、年齢別などに分類した情報毎に、効果度や副作用の度合いによって順位を付け、指定する上位の病歴や服用履歴に紐づけられた健康対策となる情報を繰り返される病気の再発防止対策として、服用開始日を基準とした指定時期に、指定する宛先に発信する。
情報を提供することにより、病気の再発が緩和され健康維持の促進に役立つ。
【００２２】
服用情報に紐づく服用効果と副作用の統計をとることで、病気が発症した際に最も効き目があり、副作用のない処方薬を選定して、最も有効な薬を提供することができる。
【００２３】
本発明は、患者本人及び関係者が記録した服用薬剤の効果と副作用の情報を取りまとめ、医用メーカーに提供することにより、薬剤のさらなる改良・発展に貢献できる。
【図面の簡単な説明】
【００２４】
【図１】電子お薬手帳による健康管理システムの構成を示す説明図である。
【図２】利用者認証装置の構成の一例を示す説明図である。
【図３】利用者情報（医療施設用）の一例を示す説明図である。
【図４】利用者情報（個人用）の一例を示す説明図である。
【図５】病院における服用データベースと服用情報取得装置と服用情報入力装置の構成の一例を示す説明図である。
【図６】薬局における服用データベースと服用情報取得装置と服用情報入力装置の構成の一例を示す説明図である。
【図７】処方箋情報の一例を示す説明図である。
【図８】処方薬剤情報の一例を示す説明図である。
【図９】服用データベースと服用情報表示装置の構成の一例を示す説明図である。
【００２５】
【図１０】服用データベースと服用補助設定装置の構成の一例を示す説明図である。
【図１１】服用補助警告設定情報の一例を示す説明図である。
【図１２】服用データベースと服用補助警告装置の構成の一例を示す説明図である。
【図１３】通院予定情報の一例を示す説明図である。
【図１４】服用データベースと服用結果記録装置の構成の一例を示す説明図である。
【図１５】服用結果記録情報の一例を示す説明図である。
【図１６】服用データベースと服用効果記録装置の構成の一例を示す説明図である。
【図１７】服用効果記録情報の一例を示す説明図である。
【図１８】服用データベースと服用薬剤統計装置の構成の一例を示す説明図である。
【００２６】
【図１９】統計情報（病名別）の一例を示す説明図である。
【図２０】統計情報（服用薬別）の一例を示す説明図である。
【図２１】統計情報（四季別）の一例を示す説明図である。
【図２２】統計情報（月別）の一例を示す説明図である。
【図２３】統計情報（年齢別）の一例を示す説明図である。
【図２４】処方箋の発行から薬剤が処方される一例を示す説明図である。
【図２５】薬剤の服用を促す通知の一例を示す説明図である。
【図２６】電子お薬手帳による健康管理システムの全体例を示す説明図である。
【図２７】電子お薬手帳による健康管理システムの運用例を示す説明図である。
【発明を実施するための形態】
【００２７】
医用分野における病院で発行された処方箋や処方された薬剤、その薬の成分や効用や効能、それら電子お薬手帳による健康管理システムは、図１に示すように、服用情報データベース１、利用者認証装置２、服用情報取得装置３、服用情報入力装置４、服用情報表示装置５、服用補助設定装置６、服用補助警告装置７、服用結果記録装置８、服用効果記録装置９、服用薬剤統計装置１０で構成される。
【００２８】
服用情報データベース１は、利用者情報、医師に処方された薬剤およびその薬剤を処方した病院名などの医療施設名（発行元）や要因となった病名を含む処方箋情報と、薬剤を処方した病院や薬局などの医療施設名（処方元）、薬の処方期間、服用回数、その薬の成分、効用および副作用情報を含む処方薬剤情報、服用補助の警告を発するための設定情報（服用補助警告設定情報）、服用結果（服用結果記録情報）、服用効果（服用効果記録情報）などを記憶する。
【００２９】
図２に示す利用者認証装置２は、利用者として登録されているか否かをユーザーＩＤおよびパスワードを含む認証情報で認証する装置である。
利用者として登録した患者本人は、図３及び図４に示すように、ユーザーＩＤ以外のすべての利用者情報・服用情報・統計情報などを服用情報データベース１に対し更新（追加・編集・削除）する権限を持ち、利用者として登録した者でかつ患者本人の同意がある場合には許可された範囲の情報を更新できる権限をもつ。更新された場合には、認証情報も自動的に服用情報データベース１に記録される。
【００３０】
図５及び図６に示す服用情報取得装置３は、処方箋の発行元や薬剤の処方元である医療施設から該処方箋情報（図７参照）と、該処方薬剤情報（図８参照）を取得し、それらの情報は服用情報入力装置４に送られる。
利用者として登録した患者本人はすべての情報を取得でき、利用者として登録した者でかつ患者本人の同意がある場合には許可された範囲の情報を取得できる。閲覧した際には、認証情報も自動的に記録される。
【００３１】
図５及び図６に示す服用情報入力装置４は、服用情報取得処理部、服用情報入力処理部と服用情報保存処理部で構成される。
服用情報入力処理部は、服用情報取得装置３で取得できなかった情報を追加する手段、変更する手段、削除する手段を持ち、その編集結果は服用情報保存処理部に送られる。
服用情報入力処理部から引き渡された情報は、服用情報保存処理部により服用情報データベース１に保存される。
【００３２】
図９に示す服用情報表示装置５は、服用情報検索処理部、服用情報集約処理部と服用情報表示処理部で構成される。
医療施設名、患者ＩＤ、発行日、処方日、病名、副作用、薬の効用などを検索条件とし、服用情報検索処理部により検索条件に一致する検索結果の患者ＩＤを含む患者に関する服用情報が服用情報集約処理部に送られる。
服用情報集約処理部では、服用情報検索処理部から引き渡された情報が、医療施設名、患者ＩＤ、発行日、処方日、病名、副作用、薬の効用のいずれかにグループ化されて、服用情報表示処理部に送られる。
服用情報表示処理部では、服用情報集約処理部から引き渡された情報が、医療施設名、患者ＩＤ、発行日、処方日、病名、副作用、薬の効用などの指定された並び替え条件に従って、並び替えて服用情報表示画面に表示される。
【００３３】
図１０に示す服用補助設定装置６は、服用補助情報取得処理部、服用補助情報入力処理部と服用補助情報保存処理部で構成される。
服用補助情報取得処理部では、服用情報データベース１から処方箋情報と処方薬剤情報を取得し、服用補助情報入力処理部に送られる。
服用補助情報入力処理部では、服用補助情報取得処理部から取得した情報に対して、服用を補助するかまたは服用を促すために必要な服用補助警告設定情報を入力する手段をもち、その設定情報を服用補助情報保存処理部に送られる。
図１１に示す服用補助警告設定情報とは、薬剤No、服用時間、警告時間、警告種類、警告レベル、スヌーズ数、スヌーズ継続時間、警告解除方法などを示す。
服用を促す警告種類として、バイブレーション、音、光、メールの何れかを複数選択することができる。警告種類ごとに警告レベルを設定できる。バイブレーションの場合には振動の種類または音声に合わせた振動にするかを選択でき、音の場合には音の種類、音量、音を徐々に大きくするかを選択できる。光の場合には色や点滅有無を選択でき、メールの場合には送信先を患者本人以外の同意を得た関係者のメールアドレスも複数設定することができる。
服用補助情報保存処理部は、服用補助情報入力処理部から引き渡された情報を服用情報データベース１に保存される。
【００３４】
図１２に示す服用補助警告装置７は、服用補助情報取得処理部、服用補助警告処理部で構成される。
服用補助情報取得処理部では、服用情報データベース１から服用補助警告設定情報を取得し、服用補助警告処理部に送られる。
服用補助警告処理部では、服用補助情報取得処理部から取得した服用補助警告設定情報により、薬の飲み忘れの防止対策として、服用を促す警告を発する。
図１３に示すように、薬剤の服用を継続する場合には薬剤の残量が少なくなる前に警告を発し、通院予定の入力または完治した旨を記録することで警告されなくなる。
【００３５】
図１４に示すように、服用結果記録装置８は、服用結果情報取得処理部、服用結果情報入力処理部と服用結果情報保存処理部で構成される。
服用結果情報取得処理部では、服用情報データベース１から処方箋情報と処方薬剤情報を取得し、服用結果情報入力処理部に送られる。
服用結果情報入力処理部では、服用結果情報取得処理部から取得された情報に対して、服用結果（図１５参照）を入力する手段をもち、その服用結果を服用結果情報保存処理部に送られる。
服用補助情報保存処理部では、服用結果情報入力処理部から引き渡された情報が服用情報データベース１に保存される。
【００３６】
図１６に示すように、服用効果記録装置９は、服用効果情報取得処理部、服用効果情報入力処理部と服用効果情報保存処理部で構成される。
服用効果情報取得処理部では、服用情報データベース１から処方箋情報と処方薬剤情報を取得し、服用効果情報入力処理部に送られる。
服用効果情報入力処理部では、服用効果情報取得処理部から取得された情報に対して、服用効果（図１７参照）を入力する手段をもち、その服用効果が服用効果情報保存処理部に送られる。
服用効果情報保存処理部では、服用効果情報入力処理部から引き渡された情報が服用情報データベース１に保存される。
【００３７】
図１８に示すように、服用薬剤統計装置１０は、服用薬剤情報取得処理部、服用薬剤情報統計処理部、服用統計情報保存処理部、服用統計情報取得処理部、服用統計情報表示処理部、服用統計情報発信処理部で構成される。
【００３８】
服用薬剤情報取得処理部は、服用情報データベース１から処方箋情報、処方薬剤情報、服用効果記録情報を取得し、服用薬剤情報統計処理部に送られる。
服用薬剤情報統計処理部では、服用薬剤情報取得処理部から取得した情報を病名別（図１９参照）、服用薬別（図２０参照）、四季別（図２１参照）、月別（図２２参照）、年齢別（図２３参照）などに分類し、さらに薬の効果度や副作用の度合いによって順位を付け、服用統計情報保存処理部に送られる。
服用統計情報保存処理部では、服用薬剤情報統計処理部から引き渡された統計情報が服用情報データベース１に保存される。
【００３９】
服用統計情報取得処理部では、服用情報データベース１から統計情報が取得され、服用統計情報表示処理部または服用統計情報発信処理部に統計情報が送られる。
服用統計情報表示処理部では、服用統計情報取得処理部から取得した統計情報が服用情報表示画面に表示される。服用していない薬剤の残量も表示される。
服用統計情報発信処理部では、服用統計情報取得処理部から取得した統計情報の上位の病歴や服用履歴に紐づけられた習慣的病気の要因に対する改善策、生活習慣病などの健康対策となる有力な情報が指定する宛先に発信される。
過去の病歴や服用の統計などにより、季節性や時期が特定される場合には、発症時期の目安日より希望する日数分または月数分が事前に発信される。
服用統計情報取得処理部から取得した統計情報の上位の病歴や服用履歴に紐づけられた習慣的病気の要因に対する改善策、生活習慣病などの健康対策となる有力な情報を設定により発信されない仕組みももつ。
統計情報がなにもない場合には、一般的に流行している病気や生活習慣病などに対する対策情報を指定する宛先に発信する仕組みをもつ。
【００４０】
図２４に示すとおり、医用分野における病院で発行された処方箋や、処方された薬剤を患者が取得する。
患者は、生涯を通じて、複数の病院や薬局を利用することが予測されるため、本システムにおいてもその点を考慮し、発行元（病院）および処方元（薬局）の情報を服用情報データベース１に保存できる仕組みをもつ。
【００４１】
図２５に示すとおり、服用を促す警告や薬の残量に対する警告などの各種通知は管理サーバーより発信される。
【００４２】
図２６に示すとおり、ユーザー認証によって誰でも自由に管理サーバーにアクセスすることを可能とする。
【００４３】
図２７は、電子お薬手帳による健康管理システムの運用例を示す。
本システムは、医療機関である病院の医師から発行された処方箋に基づき、薬局の薬剤師が処方した薬剤の情報または市販の薬剤の情報が保存されることから始まる。
処方箋に基づき、薬局の薬剤師が処方した薬剤の場合は、基本的に医療機関である病院や薬局の端末から入力情報が保存されるが、患者自身の端末を介して入力情報が送信され、保存される仕組みをもつ。
市販の服用薬については、基本的に患者自身の端末を介して入力情報が送信され、保存される。
【００４４】
図２７に示すとおり、服用補助警告設定情報、服用結果記録情報、服用効果記録情報は患者自身の端末を介して入力情報が送信され保存されることを基本としているが、権限があるものであれば第３者の端末を介して送信され保存される仕組みをもつ。
【００４５】
図２７に示すとおり、本システムでは服用の統計結果を参照することができ、より良い服用薬を適用することが可能となる。
【産業上の利用可能性】
【００４６】
本発明は、医療産業、薬剤産業を始めとする患者本人を含む家族等や患者の同意を得た関係者並びに広く国民に普及し、製薬業界に対しより良い薬剤の開発ツールとして寄与することができる。
【符号の説明】
【００４７】
１  服用情報データベース
２  利用者認証装置
３  服用情報取得装置
４  服用情報入力装置
５  服用情報表示装置
６  服用補助設定装置
７  服用補助警告装置
８  服用結果記録装置
９  服用効果記録装置
１０  服用薬剤統計装置
【図１】
2014123279.tif 000003
【図２】
2014123279.tif 000004
【図３】
2014123279.tif 000005
【図４】
2014123279.tif 000006
【図５】
2014123279.tif 000007
【図６】
2014123279.tif 000008
【図７】
2014123279.tif 000009
【図８】
2014123279.tif 000010
【図９】
2014123279.tif 000011
【図１０】
2014123279.tif 000012
【図１１】
2014123279.tif 000013
【図１２】
2014123279.tif 000014
【図１３】
2014123279.tif 000015
【図１４】
2014123279.tif 000016
【図１５】
2014123279.tif 000017
【図１６】
2014123279.tif 000018
【図１７】
2014123279.tif 000019
【図１８】
2014123279.tif 000020
【図１９】
2014123279.tif 000021
【図２０】
2014123279.tif 000022
【図２１】
2014123279.tif 000023
【図２２】
2014123279.tif 000024
【図２３】
2014123279.tif 000025
【図２４】
2014123279.tif 000026
【図２５】
2014123279.tif 000027
【図２６】
2014123279.tif 000028
【図２７】
2014123279.tif 000029